(57)【特許請求の範囲】
【請求項１】
投入漏斗３へ投入されて流下する穀粒を受けて流下案内する筒状の検粒筒４と、該検粒筒４内へ可視光、又は近赤外光の光線６を照射させる光照射装置７及びこれによって性状を分析して検出する検出装置８を収納した収納箱２等よりなる穀粒分析器において、該収納箱２内上部に穀粒投入面積を可変すべく回動自在に設けた該投入漏斗３を該収納箱２の一部部材１０の回動に伴なって回動させて投入面積を拡大することを特徴とする穀粒分析器の穀粒投入装置。
【発明の詳細な説明】
【０００１】
【発明の属する技術分野】
この発明は、穀粒を投入する投入面積を可変すべく回動自在に設けた投入漏斗の回動を、この投入漏斗等を収納する収納箱の一部部材の回動操作により、回動する穀粒投入装置に関する。
【０００２】
【従来の技術】
従来は、筒状の検粒筒上部に固着して設けた投入漏斗へ穀粒を投入供給すると、この投入漏斗からこの検粒筒内へ流下供給され、この検粒筒内へ供給された穀粒には、光照射装置からの可視光、又は近赤外光の光線が照射され、これによって検出装置でこの穀粒の性状が分析されて検出される。
【０００３】
【発明が解決しようとする課題】
穀粒を投入する投入漏斗の穀粒投入面積は固定式であり、又、この投入漏斗へ投入する穀粒の投入量を多量したり、又、容易にするためには大型の漏斗となり、このために、穀粒分析器が大型になって持ち運びが困難になったり、コスト高になることがあったが、これらをこの発明により、解決しようとするものである。
【０００４】
【課題を解決するための手段】
このために、この発明は、投入漏斗３へ投入されて流下する穀粒を受けて流下案内する筒状の検粒筒４と、該検粒筒４内へ可視光、又は近赤外光の光線６を照射させる光照射装置７及びこれによって性状を分析して検出する検出装置８を収納した収納箱２等よりなる穀粒分析器において、該収納箱２内上部に穀粒投入面積を可変すべく回動自在に設けた該投入漏斗３を該収納箱２の一部部材１０の回動に伴なって回動させて投入面積を拡大することを特徴とする穀粒分析器の穀粒投入装置の構成とする。
【０００５】
【発明の作用】
穀粒を投入漏斗３へ投入供給するときは、収納箱２の一部部材１０、例えば、収納蓋を回動操作することにより、この収納箱２内の上部に内装して設けた該投入漏斗３が回動し、開状態となって穀粒投入面積が拡大し、拡大して開状態になったこの投入漏斗３へ穀粒を投入供給すると、この投入漏斗３から検粒筒４内へ流下供給され、この検粒筒４内へ供給された穀粒には、光照射装置７から可視光、又は近赤外光の光線６が照射され、これによって検出装置８でこの穀粒の性状が分析されて検出される。
【０００６】
【発明の効果】
収納箱２内に収納された投入漏斗３は、この収納箱２の一部部材１０を回動操作することにより、この回動操作に伴なって該投入漏斗３は、回動して穀粒の投入面積が広くなり、穀粒の投入が容易になり、又、該投入漏斗３が回動することにより、この投入漏斗３を装着するスペースが狭くなって、穀粒分析器が小型となり、持ち運びが容易になる。又、コスト低減が可能になった。
【０００７】
【実施例】
以下、本発明の一実施例を図面に基づいて説明する。
図例は、前部上段の収納箱２内には、穀粒（サンプル穀粒）の投入面積を可変する可変型の投入漏斗３を設け、前部下段の収納箱２内には、該投入漏斗３へ投入されて流下する穀粒を受けて、流下案内する検粒筒４、及び保持具５等を設け、後部下段の収納箱２内には、光線６を照射させる光照射装置７、及び反射光を受けて穀粒の性状を分析して検出する検出装置８を設け、上記のこれらよりなる穀粒分析器１を示すものである。
【０００８】
前部上段の前記収納箱２は、Ｌ字形状の収納体９と該収納箱２の一部部材１０である回動自在で横方向に開閉するコ字形状の収納蓋１０等よりなり、これら収納体９と収納蓋１０とは、上・下端部に設けた丁番１０ａで連接させた構成であり、該収納体９の底板部には、上方へ突出するＬ字形状の支持板１１を設け、この支持板１１には、投入漏斗３を設け、該収納箱２の上部に内装して設けた構成である。この投入漏斗３は、本体漏斗１２、及び回動自在で開閉する開閉漏斗１３等よりなり、該開閉漏斗１３は、該本体漏斗１２の左右両側の壁板に回動自在に軸支した回動軸１４に装着して設け、該回動軸１４には、弾発するトルクスプリング１５を設け、このトルクスプリング１５挿入部の該本体漏斗１２側壁の一部は、突出１５ａさせて該トルクスプリング１５を内装した構成としている。
【０００９】
前記収納箱２の一部部材１０である、例えば、収納蓋１０を開状態に操作すると、この操作によってトルクスプリング１５の弾発により、投入漏斗３の開閉漏斗１３上端部に設けたストッパ１３ａが、本体漏斗１２の上部に設けたストッパピン１２ａに当接するまで前方へ向けて自動回動して、開状態となり、穀粒の投入面積が拡大する構成である。又、該収納蓋１０を閉状態に操作すると、該投入漏斗３の該開閉漏斗１３は、この収納蓋１０により、押されて後方へ向けて自動回動して、閉状態になる構成である。穀粒を投入のときには、該収納蓋１０を開操作した後に、該投入漏斗３へ穀粒を投入供給する構成としている。
【００１０】
図８、及び図９の如く、収納箱２内の投入漏斗３の本体漏斗１２の一方側の側壁板の外側には、この収納箱２の収納蓋１０の開閉を検出するＯＮ−ＯＦＦ方式でリミットスイッチの開閉センサ１７を設け、又、投入漏斗３の開閉漏斗１３を装着した回動軸１４は、ロータリソレノイド１８で回動する構成である。該開閉センサ１７が該収納箱２の収納蓋１０の開状態検出により、該ロータリソレノイド１８は、正回転駆動されて、該投入漏斗３の該開閉漏斗１３が開状態に作動し、穀粒の投入面積が拡大する構成である。又、該開閉センサ１７が該収納箱２の該収納蓋１０の閉状態検出により、該ロータリソレノイド１８は、逆回転駆動されて、該投入漏斗３の該開閉漏斗１３が閉状態に作動する構成としている。上記の如く、構成とするもよい。
【００１１】
又、図１０、及び図１１の如く、投入漏斗３を収納箱２の収納蓋１０の上壁板下側へ当接すべく位置させて設け、該収納箱２の該収納蓋１０の開閉操作により、該投入漏斗３の開閉漏斗１３を回動させて、この開閉漏斗１３を開閉作動させ、穀粒の投入面積を可変する構成であり、開停止は漏斗本体１２の上壁板に当接で停止する構成であり、該収納蓋１０と漏斗本体１２との上壁板には、該開閉漏斗１３より、所定幅、及び所定長さ狭い開口１４ａを設け、この開口１４ａ部より、穀粒を該投入漏斗３内へ投入供給する構成としている。上記の如く、構成とするもよい。
【００１２】
前部下段の前記収納箱２は、コ字形状の収納体１９と回動自在で横方向に開閉する板状の収納蓋２０等よりなり、これら収納体１９と収納蓋２０とは、上・下端部に設けた丁番１０ａで連接させた構成であり、この収納箱２には、検粒筒４、及び保持具５等を内装して設けた構成である。該検粒筒４は、コ字形状の内ケース２１をコ字形状の外ケース２２に嵌合させて筒状に構成し、投入漏斗３から流下する穀粒を受けて、この穀粒を貯留すると共に、流下案内する構成である。これら内・外ケース２１，２２の正面には、窓口２３，２４を設け、この窓口２３，２４間には、透光窓２５を形成し、この透光窓２５には、ガラス板を上下移動自在にして、抜差自在に挿入して設けた構成である。このガラス板をプラスチック板のような合成樹脂材でもよい。又、底部には、開閉自在なシャッタ２６を軸支して設けた構成であり、この筒状の上端部には、この筒状より大型の受漏斗２７を設けた構成としている。
【００１３】
前記外ケース２２の左右両側の側壁部２８，２８間の下部には、シャッタ２６の開閉を規制する規制板２９を設け、又、この側壁板２８，２８外側には、コ字状の案内板３０，３０を設けた構成としている。
前記保持具５，５の内壁部には、前後に所定の間隔を設けて、挿入溝３１ａ，３１ｂを設け、この挿入溝３１ａ，３１ａと３１ｂ，３１ｂとには、検粒筒４の案内板３０，３０の先端部を挿入させ、この保持具５，５内の所定位置までは、検粒筒４を挿入させた構成であり、これら保持具５，５及び検粒筒４は、一体に構成して同時に上下移動する構成である。投入漏斗３へ穀粒を投入供給のときは、この投入漏斗３下端部が該検粒筒４の受漏斗２７内へ重合状態になる位置まで上昇する構成であり、該投入漏斗３からの穀粒は、この受漏斗２７を経て、該検粒筒４内へ流下案内されて貯留される構成としている。
【００１４】
前記収納箱２の収納体１９の上・下壁板の内側面には、上・下スライドメタル３３ａ，３３ｂを左右両側に所定間隔で設け、これら左右両側の上・下スライドメタル３３ａ，３３ｂにより、スライド軸３４，３４を軸支して設け、このスライド軸３４，３４には、保持具５を挿入した構成である。該収納体１９の底壁板の内側面には、正逆回転する駆動モータ３５を設け、この駆動モータ３５の軸端部には、プーリ３６ａを装着し、上壁板の内側面には、ホルダー３７を設け、このホルダー３７で回転軸３８を回転自在に軸支した構成であり、この回転軸３８の軸端部には、プーリ３６ｂを装着し、これらプーリ３６ａ，３６ｂ間には、ベルト３９を掛け渡した構成であり、該保持具５に設けた固定具４０は、該ベルト３９に固着した構成としている。
【００１５】
前記駆動モータ３５の回転により、保持具５内へ挿入されて一体となったこの保持具５、及び検粒筒４は、ベルト３９、及び固定具４０を介して上下移動する構成であり、この上下移動の規制は、ＯＮ−ＯＦＦ方式のリミットスイッチ（図示せず）のＯＮ−ＯＦＦにより、該駆動モータ３５の正逆回転が制御される構成としている。
【００１６】
前記保持具５、及び検粒筒４は、上部から下部へ移動中に、この検粒筒４内の上下方向所定間隔で複数点の穀粒の性状検出が行われる構成である。又、性状検出済み穀粒は、該検粒筒４の下端部のシャッタ２６が開操作されて、この検粒筒４から収納箱２の収納体１９下部の開口部１９ａを経て、機外の受具４１ａ内へ排出される構成である。該検粒筒４内の１サンプル穀粒の性状検出時間は、略１分３０秒程度とした構成であり、この検出中に誤操作により、該収納箱２の収納蓋２０の開操作が行われ、その後に誤操作に気付いて閉操作が行われたときは、この開操作から閉操作の間の測定データは、不良としてキャンセル処理する構成としている。
【００１７】
後部下段の前記収納箱２は、箱体４１に形成され、この箱体４１の前壁部には、光線６が照射可能に開口３２、又は開放させた構成であり、検粒筒４内の穀粒へこの検粒筒４の透光窓２５を経て該光線６を照射する構成である。この収納箱２のこの箱体４１には、光照射装置７、及び検出装置８を内装して設け、この検出装置８は、近赤外分光分析方法によって非粉砕の玄米の成分や理化学特性、あるいは食味等の品質特性値を分析して検出できる構成であり、穀粒、豆類、及び薬剤等の粒状物に、該光線６を照射させて、分光分析して検出する構成としている。
【００１８】
前記光照射装置７は、光源４２、反射鏡４３、回析格子４４、レンズ４５、フィルタ４６を経て検粒筒４の透光窓２５から分光した光線６が導入されて、下降する該検粒筒４内の穀粒へ上下所定間隔で複数点照射される構成である。反射する反射光は、検出装置８の光検出器４７、増幅器４８、Ａ−Ｄ変換器４９、演算器５０を経て出力インタフェース５１内へ入力され、この出力インタフェース５１より出力される構成である。この出力によって、例えば、穀粒であれば、非粉砕の玄米の成分や理化学特性、あるいは食味の品質特性値を分析して、上下方向複数点検出の平均値を算出して、上記を検出する構成としている。
【００１９】
検出手段である制御装置（図示せず）は、収納箱２の箱体４１内に設け、この制御装置から発信する信号により、穀粒分析器１の各部を始動、及び停止制御する構成であり、又、該検出手段の該制御装置に変えて、該検出手段としては、パソコン（図示せず）を使用してもよく、このパソコンによって、該穀粒分析器１の各部を始動、及び停止制御する構成とするもよい。
【００２０】
図１２、及び図１３は、穀粒分析器の投入漏斗、及び始動スイッチ等を示す。
穀粒分析器５２は、前部上段の収納箱５３は、収納体５４ａと収納蓋５４ｂとからなり、該収納蓋５４ｂ上壁板の下側面へ当接すべく位置させて投入漏斗３を設け、この投入漏斗３は、本体漏斗１２、及び前後方向へ回動自在で開閉する開閉漏斗１３等よりなり、該開閉漏斗１３は、該本体漏斗１２の左右両側の壁板に回動自在に軸支した回動軸１４に設け、該回動軸１４は、ロータリソレノイド１８で回動する構成としている。
【００２１】
前記収納蓋５４ａの上壁板の外側面には、回動軸１４を回動させるロータリソレノイド１８を始動、及び停止するＯＮ−ＯＦＦ方式でタッチ式のフラットスイッチ５５を設け、このフラットスイッチ５５は、投入漏斗３の左右両側に振替え装着可能な構成としている。
前記フラットスイッチ５５のＯＮ操作により、ロータリソレノイド１８が正回転駆動し、投入漏斗３の開閉漏斗１３が開状態に作動され、穀粒の投入面積が拡大する構成である。又、該フラットスイッチ５５のＯＦＦ操作により、該ロータリソレノイド１８が逆回転駆動し、該投入漏斗３の該開閉漏斗１３が閉状態に作動する構成としている。
【００２２】
上記により、左手でフラットスイッチ５５をＯＮ操作しながら、サンプル穀粒の投入ができることにより、安定したサンプル穀粒の投入ができるし、きき手が左右いずれであったも、対応が可能であり、又、投入漏斗３へサンプルカップを乗せながら、投入供給ができることにより、安定した穀粒の投入供給ができる。
図１４〜図１７は、穀粒分析器の投入漏斗を示す。
【００２３】
穀粒分析器５６は、前部上段の収納箱５７の収納体５８に装着した支持板１１には、この収納箱５７の収納蓋５９の開閉により、この収納箱５７内の明暗を検出する明暗センサ６０を設けると共に、投入漏斗３の下部には、この投入漏斗３内へ投入供給されて、流下する穀粒を検出する通過センサ６１を設け、これらセンサ６０，６１のＯＮ作動により、測定準備完了信号が発信され、穀粒分析の測定が開始される構成としている。
【００２４】
前記明暗センサ６０、及び通過センサ６１のＯＮ−ＯＦＦ作動の検出は、入力インタフェース６２からパソコン６３へ入力され、このパソコン６３からシリアル通信インタフェース６４を経て、光照射装置７、及び検出装置８等を始動、及び停止制御する構成であり、又、これら光照射装置７、及び検出装置８等の始動、及び停止が該シリアル通信インタフェース６４へ入力される構成としている。
【００２５】
前記穀粒分析器５６の作用を、図１７のフローチャートに沿って説明すると、穀粒の性状分析がスタートされ（Ｓ−１０１）、通過センサ６０の検出データが入力され（Ｓ−１０２）、明暗センサ５９の検出データが入力され（Ｓ−１０３）、これら両センサ６０，６１が共にＯＮか検出され（Ｓ−１０４）、ＹＥＳと検出されると測定準備完了信号が発信され（Ｓ−１０５）、測定が開始される（Ｓ−１０６）。（Ｓ−１０４）でＮＯと検出されると（Ｓ−１０２）へ戻る。
【００２６】
上記により、収納蓋５９の開状態と、穀粒の通過検出とによって、測定が開始されることにより、穀粒が投入されていないときは、測定が開始されることがなくなり、より確実な測定開始ができるし、又、該収納蓋５９の開操作で測定がスタートできることにより、作業性が向上する。
図１８〜図２０は、穀粒分析器を示す。
【００２７】
穀粒分析器６５の明るさ検出手段は、光照射装置７からの光線６の明暗を検出する構成であり、又、別に前部上段の収納箱６６内の明暗を検出する明暗センサ６０を設けてもよい。前部上段の該収納箱６６の収納蓋６７、及び前部下段の収納箱６６の収納蓋６８の開閉を検出するＯＮ−ＯＦＦスイッチ方式でリミットスイッチの開閉センサ１７，１７をこれら上・下段の該収納箱６６，６６内に設け、所定値以上の明るさが検出されるか、又は該収納蓋６７，６８のいずれか一方が開操作され、該開閉センサ１７，１７のいずれか一方がＯＮ作動すると、測定が停止されると共に、穀粒を検粒筒４内から機外へ排出する構成であり、これらの動作を開始する動作開始手段を設けた構成であり、この動作開始手段は、表示装置、又は警報を発する警報装置でもよく、これらは、パソコン６３に設けるもよく、又、該穀粒分析器６５の本体に設けるもよい。
【００２８】
又、その後に所定値以下の明るさが検出されるか、又は開閉センサ１７，１７がＯＦＦ作動すると、収納蓋６７，６８が閉操作されたとして、未測定穀粒の再測定を開始か、又は未測定穀粒を含む１サイクル分の全ての穀粒を排出するかいずれか一方を選定して、測定作業を再開始する構成とするもよい。
前記穀粒分析器６５の作用を、図２０のフローチャートに沿って説明すると、穀粒の性状分析がスタートされ（Ｓ−２０１）、測定開始か検出され（Ｓ−２０２）、ＮＯと検出されると（Ｓ−２０２）へ戻る。ＹＥＳと検出されると測定開始され（Ｓ−２０３）、明るさのテータが入力され（Ｓ−２０４）、穀粒が測定されて測定終了か検出され（Ｓ−２０５）、ＹＥＳと検出されると正常測定が終了する（Ｓ−２０６）。
【００２９】
（Ｓ−２０５）でＮＯと検出されると明るさが異常か検出され（Ｓ−２０７）、ＮＯと検出されると（Ｓ−２０５）へ戻る。ＹＥＳと検出されると測定が停止され（Ｓ−２０８）、穀粒は機外へ排出され（Ｓ−２０９）、穀粒の測定がストップされる（Ｓ−２１０）。
上記により、測定作業中に誤って収納蓋６７，６８等を開操作しても、１サイクルの測定が終了するまで待つ必要がなくなり、このために、測定作業時間を有効に使用できるし、又、外光が入光した場合であっても信頼性を向上させることができる。
【図面の簡単な説明】
【図１】一部断面せる穀粒分析器の全体側面図
【図２】図３のＡ−Ａ断面図
【図３】一部破断せる前部上側の収納箱部の平面図
【図４】前部上・下段の収納箱内の正面図
【図５】一部断面せる検粒筒の拡大側面図
【図６】検粒筒の拡大背面図
【図７】図５のＢ−Ｂ拡大断面図
【図８】他の実施例を示す図で、図９のＣ−Ｃ断面図
【図９】他の実施例を示す図で、一部破断せる前部上側の収納箱部の平面図
【図１０】他の実施例を示す図で、図１１のＤ−Ｄ断面図
【図１１】他の実施例を示す図で、一部破断せる前部上側の収納箱部の平面図
【図１２】他の実施例を示す図で、図１３のＥ−Ｅ断面図
【図１３】他の実施例を示す図で、一部破断せる前部上側の収納箱部の平面図
【図１４】他の実施例を示す図で、図１５のＦ−Ｆ断面図
【図１５】他の実施例を示す図で、一部破断せる前部上側の収納箱部の平面図
【図１６】他の実施例を示す図で、ブロック図
【図１７】他の実施例を示す図で、フローチャート
【図１８】他の実施例を示す図で、図１９のＧ−Ｇ断面図
【図１９】他の実施例を示す図で、前部上側の収納箱部の平面図
【図２０】フローチャート
【符号の説明】
２    収納箱
３    投入漏斗
４    検粒筒
６    光線
７    光照射装置
８    検出装置
【図１】
0003637704.tif 000002
【図２】
0003637704.tif 000003
【図３】
0003637704.tif 000004
【図４】
0003637704.tif 000005
【図５】
0003637704.tif 000006
【図６】
0003637704.tif 000007
【図７】
0003637704.tif 000008
【図８】
0003637704.tif 000009
【図９】
0003637704.tif 000010
【図１０】
0003637704.tif 000011
【図１１】
0003637704.tif 000012
【図１２】
0003637704.tif 000013
【図１３】
0003637704.tif 000014
【図１４】
0003637704.tif 000015
【図１５】
0003637704.tif 000016
【図１６】
0003637704.tif 000017
【図１７】
0003637704.tif 000018
【図１８】
0003637704.tif 000019
【図１９】
0003637704.tif 000020
【図２０】
0003637704.tif 000021